(57)【特許請求の範囲】
【請求項１】
ベルやライトなどを保持する保持部材と、自転車用ハンドルに巻き付けられるとともに両端が保持部材に連結されて該保持部材を自転車用ハンドルに固定するバンドとを備えた自転車用ハンドルへの取付器具において、
上記バンドは、複数の係止孔が形成された伸縮性を有する帯状の本体部と、本体部の基端部に形成された抜け止め部と、該抜け止め部に連設されて保持部材とハンドルとの間に介在される挟持部とを備え、
上記保持部材は、上記バンドの本体部を挿通させる挿通孔と、該挿通孔の開口部に形成されるとともに上記バンドの抜け止め部に係合するストッパ部と、上記バンドの係止孔が係合される突起とを備え、
上記取付器具をハンドルに装着する際には、上記バンドの本体部が上記保持部材の挿通孔に挿入されるとともに、上記挟持部が保持部材とハンドルとの間に挟持され、
上記バンドの本体部が引っ張られると、上記バンドの抜け止め部がストッパ部に係合して該バンドの抜け出しを防止するとともに、該本体部が伸長されて上記係止孔が保持部材の上記突起に係合されることで、上記保持部材がハンドルに取り付けられることを特徴とする自転車用ハンドルへの取付器具。
【請求項２】
上記バンドの挟持部は、上記抜け止め部から上記本体部の先端側かつハンドル側に向けて、本体部に対して折返すように形成され、上記抜け止め部は該挟持部と本体部との折返し部分に形成され、
さらに上記保持部材のストッパ部は上記挿通孔のハンドル側に形成され、上記挟持部は、保持部材のストッパ部分とハンドルとの間で挟持されることを特徴とする請求項１に記載の自転車用ハンドルへの取付器具。
【請求項３】
上記抜け止め部に連設された挟持部は、上記抜け止め部から離隔した位置に係合部を備えており、
また上記保持部材に上記係合部に係合する被係合部を設け、
上記取付器具をハンドルに装着した際には、上記係合部は被係合部に係合された状態で、該被係合部とハンドルとの間で挟持されることを特徴とする請求項１または請求項２のいずれかに記載の自転車用ハンドルへの取付器具。
【請求項４】
保持部材に上記バンドの本体部が通過可能な幅でリブを設けるとともに、該リブのハンドル側に上記ストッパ部から上記被係合部にかけて円弧状部分を形成し、
上記挟持部は上記リブの円弧状部分に当接可能な幅で形成されるとともに、上記円弧状部分に沿って湾曲することを特徴とする請求項３に記載の自転車用ハンドルへの取付器具。
【請求項５】
上記保持部材における突起の先端側の断面をバンドの引っ張り方向に長軸が向いた略楕円状とするとともに、該突起の基端側の断面を略円形に形成し、
上記バンドの係止孔は円形に形成され、バンドが引っ張られることにより略楕円形に変形して上記突起の先端部の通過を許容し、係止孔が基端側に位置すると円形に復帰することを特徴とする請求項１ないし請求項４のいずれかに記載の自転車用ハンドルへの取付器具。
【発明の詳細な説明】
【技術分野】
【０００１】
本発明は自転車用ハンドルへの取付器具に関し、詳しくはベルやライトなどを保持する保持部材と、自転車用ハンドルに巻き付けられるとともに両端が保持部材に連結されて該保持部材を自転車用ハンドルに固定するバンドとを備えた自転車用ハンドルへの取付器具に関する。
【背景技術】
【０００２】
従来、自転車用のハンドルにはベルやライトが取付けられており、これらをハンドルに取付ける取付器具として、上記ベルやライトを保持する保持部材と、両端部が保持部材に連結されたバンドとから構成されたものが知られている。
このような取付器具として、略Ｖ字形に開閉する保持部材と、該保持部材の間に張設されたバンドとから構成されたものが知られ、上記保持部材の角度を変更することで、径の異なるハンドルであってもライトを取付けることが可能となっている。（特許文献１の特に図１０）。
【先行技術文献】
【特許文献】
【０００３】
【特許文献１】特開２００３−２６３９１８号公報
【発明の概要】
【発明が解決しようとする課題】
【０００４】
しかしながら、上記特許文献１の取付器具の場合、略Ｖ字形に開閉する保持部材がハンドルに接触する範囲は狭く、またバンドがハンドルに密着していないことから、ライトの角度が簡単にずれてしまうという問題があった。
このような問題に鑑み、本発明はハンドルの径にかかわらず装着することができ、かつ、ずれなく取付可能な自転車用ハンドルへの取付器具を提供するものである。
【課題を解決するための手段】
【０００５】
すなわち、本発明にかかる自転車用ハンドルへの取付器具は、ベルやライトなどを保持する保持部材と、自転車用ハンドルに巻き付けられるとともに両端が保持部材に連結されて該保持部材を自転車用ハンドルに固定するバンドとを備えた自転車用ハンドルへの取付器具において、
上記バンドは、複数の係止孔が形成された伸縮性を有する帯状の本体部と、本体部の基端部に形成された抜け止め部と、該抜け止め部に連設されて保持部材とハンドルとの間に介在される挟持部とを備え、
上記保持部材は、上記バンドの本体部を挿通させる挿通孔と、該挿通孔の開口部に形成されるとともに上記バンドの抜け止め部に係合するストッパ部と、上記バンドの係止孔が係合される突起とを備え、
上記取付器具をハンドルに装着する際には、上記バンドの本体部が上記保持部材の挿通孔に挿入されるとともに、上記挟持部が保持部材とハンドルとの間に挟持され、
上記バンドの本体部が引っ張られると、上記バンドの抜け止め部がストッパ部に係合して該バンドの抜け出しを防止するとともに、該本体部が伸長されて上記係止孔が保持部材の上記突起に係合されることで、上記保持部材がハンドルに取り付けられることを特徴としている。
【発明の効果】
【０００６】
上記発明によれば、上記取付器具をハンドルに装着する際に、バンドの本体部がハンドルに巻きつくとともに、上記挟持部が保持部材とハンドルとの間に挟持されて密着することから、取付器具がハンドルに対してずれてしまうのを防止することができる。
また、ハンドルの径に合わせてバンドに設けたいずれかの係止孔を突起に係合させることにより、異なる径のハンドルであってもベルやライトを取付けることが可能となっている。
【図面の簡単な説明】
【０００７】
【図１】本実施例にかかる自転車用ベルの側面図
【図２】（ａ）はバンドの平面図を、（ｂ）はバンドの側面図をそれぞれ示す。
【図３】保持部材の側面図
【図４】図３におけるＩＶ−ＩＶ部の断面図
【発明を実施するための形態】
【０００８】
以下図示実施例について本発明を説明すると、図１は自転車用ベル１の部分断面図を示し、この自転車用ベル１は円柱状の自転車用のハンドル２に取付けられるようになっている。
この自転車用ベル１は、音響ワン部３ａおよび打撃部３ｂを備えたベル部２と、該ベル部３をハンドル２に取付ける取付器具４とから構成されており、上記音響ワン部３ａが自転車の前方を、打撃部３ｂが自転車の後方を向くように位置している。
上記ベル部３は、上記取付器具４に保持されたベース３ｃに、上記音響ワン部３ａおよび打撃部３ｂを設けた構成となっており、上記打撃部３ｂはベース３ｃに揺動可能に設けられている。
なお、本実施例では上記取付器具４にベル部３を装着した構成を示しているが、このベル部３に代えて、例えばライトなどを装着することが可能となっている。
【０００９】
上記取付器具４は、上記ベル部３を保持する保持部材５と、ハンドル２に巻き付けられるとともに両端が保持部材５に連結されて該保持部材５をハンドル２に固定するバンド６とから構成されている。
図２（ａ）（ｂ）は上記バンド６の平面図および側面図を示し、該バンド６はゴムなどの伸縮性を有する素材で一体成形され、帯状の本体部１１と、本体部１１の基端部に形成された抜け止め部１２と、該抜け止め部１２に連設されて保持部材５とハンドル２との間に介在される挟持部１３とを備えている。
上記本体部１１には、図示右方となる先端側に形成されて使用者が保持するための保持部１１ａと、該保持部１１ａに対して基端部側に隣接する複数の係止孔１１ｂと、最も基端部側の係止孔１１ｂに隣接する脱落防止突起１１ｃとが設けられている。
上記係止孔１１ｂはそれぞれ円形に形成されており、使用者が上記保持部１１ａを保持して先端側に引っ張ると、本体部１１が伸長して係止孔１１ｂが略楕円形に変形するようになっている。
上記脱落防止突起１１ｃは本体部１１に対して図２（ａ）の図示上下に突出しており、脱落防止突起１１ｃは後述する保持部材５の挿通孔２１に係合して、バンド６が保持部材５から脱落しないようにしている。
【００１０】
上記抜け止め部１２および挟持部１３について説明すると、上記本体部１１の基端部には湾曲した板状の挟持部１３が接続されており、換言すると上記本体部１１はこの挟持部１３から保持部材５側に突出するように設けられている。
上記挟持部１３は図２（ａ）に示すように上記本体部１１より幅広に形成されるとともに、図２（ｂ）に示すようにハンドル２の外径に沿って湾曲しており、挟持部１３の図示右端部は上記本体部１１の基端部から該本体部１１の先端側かつハンドル２側に向けて折返すように形成されている。
そして、この本体部１１と挟持部１３とによる折返し部分に上記抜け止め部１２が形成されており、この抜け止め部１２に隣接した位置には、上記挟持部１３の保持部材５側の表面には凸部１２ａが形成されている。
一方、上記挟持部１３の図示左方側の端部には係合部１４が形成されており、この係合部１４は保持部材５側に突出する二つの係合突起１４ａによって構成され、このうち図示右方の係合突起１４ａは図２（ａ）に示すように上記本体部１１と同じ幅で形成されている。
【００１１】
図３に示すように、上記保持部材５は、上記バンド６の本体部１１を挿通させる挿通孔２１と、該挿通孔２１の開口部に形成されたストッパ部２２と、上記バンド６の係合部１４が係合する被係合部２３と、上記バンド６の係止孔１１ｂが係合される突起２４とを備えている。
上記保持部材５の上部には、上記ベル部３のベース３ｃおよび音響ワン部３ａを固定するための支柱５ａが設けられ、上記ベース３ｃはこの支柱５ａによって水平方向に回転可能となっている。
また保持部材５の図示左方には傾斜面５ｃが形成されており、使用者が上記バンド６の係止孔１１ｂを上記突起２４に係合させる際に、該バンド６の保持部１１ａを上記傾斜面５ｃに沿って傾けることが可能となっている。
図４は図３のＩＶ―ＩＶ部の断面を示すとともに、上記挿通孔２１を説明する図であって、該挿通孔２１は保持部材５の後方に形成されている。具体的には、該保持部材５の後面と、保持部材５の後方に形成された２つのリブ２４と、該リブ２４の間に設けられた柱状の上記ストッパ部２２とによって囲繞されたものとなっている。
上記リブ２４は上記バンド６の本体部１１が通過させる一方で上記挟持部１３が通過できないような幅に設けられ、該リブ２４の下端部には保持部材５の後面より後方に突出するように上記被係合部２３が形成されている。
上記リブ２４における上記ストッパ部２２と被係合部２３との間にはハンドル２の外径に合わせて円弧状部分２５ａが形成され、該円弧状部分２５ａには上記ストッパ部２２に隣接した位置に上記バンド６の凸部１２ａが係合する凹部２５ｂが形成されている。
さらに、上記ストッパ部２２のハンドル２側の面は上記円弧状部分２５ａの一部を構成しており、また上記被係合部２３のハンドル２側の面も、上記円弧状部分２５ａの一部を構成するように滑らかに形成されている。
上記突起２４は、保持部材５の下端部に設けられており、その基部は断面略円形に形成され、その下方の先端は断面略楕円形に形成されている。具体的には、先端部の断面は長軸が図示左右方向となるバンド６の引っ張り方向を向くとともに、その図示左端部が上記断面円形の基部に対して図示左方に突出するようになっている。
【００１２】
以下、上記ハンドル２２への自転車用ベル１の取付け手順を説明する。
まずバンド６を保持部材５に装着する際には、上記バンド６の本体部１１を、上記保持部材５のストッパ部２２と被係合部２３との間から上記挿通孔２１に挿通し、該本体部１１を挿通孔２１から後方に引っ張る。
すると、本体部１１と挟持部１３との折返し部分に形成した抜け止め部１２がストッパ部２２に当接し、円弧状に湾曲した挟持部１３が上記円弧状部分２５ａに密着し、さらに上記係合部１４が保持部材５の被係合部２３に係合する。
以上のように、上記挟持部１３は上記挿通孔２１を通過できないようになっており、本体部１１だけが上記挿通孔２１から保持部材５の後方に突出するようになっている。
一方、上記バンド６の本体部１１には上記脱落防止突起１１ｃが形成されているため、上記本体部１１を挿通孔２１に挿通させた後は、該脱落防止突起１１ｃが挿通孔２１の開口部に位置するリブ２４に係合し、バンド６が挿通孔２１より脱落しないようになっている。
【００１３】
このようにしてバンド６を保持部材５に装着したら、使用者は上記挟持部１３をハンドル２の外周に当接させて、該挟持部１３をハンドル２と保持部材５との間で挟持させた状態でバンド６の本体部１１を後方に引っ張る。
このとき、上記バンド６の抜け止め部１２が保持部材５のストッパ部２２に係合し、また上記係合部１４が被係合部２３に係合していることから、上記バンド６は保持部材５の挿通孔２１から抜け出さないようになっている。
続いて、使用者は引っ張ったバンド６の本体部１１をハンドル２の外周に沿って巻きつけ、係止孔１１ｂを上記保持部材５の突起２４の位置にあわせながら、保持部１１ａを上記傾斜面５ｃに沿って上方に傾ける（図１の想像線）。
このとき、係止孔１１ｂは本体部１１が引っ張られることで略楕円形に変形しているため、保持部１１ａを傾斜面５ｃに沿って上方に傾けることで、係止孔１１ｂを断面楕円形となった突起２４の先端部が通過することとなる。
その後、使用者が保持部１１ａを離すと、バンド６は元の長さに復帰しようとして上記係止孔１１ｂはもとの円形に復帰し、これにより該係止孔１１ｂが突起２４に係合することとなり、また係止孔１１ｂは突起２４の先端部によって脱落しないようになっている。
このようにしてバンド６の本体部１１を突起２４に係合させたら、突起２４より前方に伸びたバンド６の保持部１１ａを後方に折り曲げ、これを図示しないストラップで固定するようになっている。
【００１４】
このようにして自転車用ベル１を上記取付器具４によってハンドル２に取付けることで、バンド６の本体部１１がハンドル２に巻きつき、また挟持部１３がハンドル２に密着することから、ベル部３をハンドル２に対してぐらつきなく取付けることができる。
また、上記バンド６の抜け止め部１２が保持部材５のストッパ部２２に係合しているため、本体部１１を引っ張ってもバンドが保持部材５より抜け出さないようになっている。
さらに、上記挟持部１３を本体部１１に対して折り返すように形成して、該挟持部１３を上記ストッパ部２２とハンドル２との間に挟持し、また挟持部１３の係合部１４が保持部材５の被係合部２３によってハンドル２に挟持されることから、保持部材５が上記本体部の引っ張り力によって挟持部１３を挟持する力により、ベル部３がハンドル２に対してよりずれにくくなっている。
そして、上記自転車用ベル１を他の自転車やハンドル２の径が異なる位置に取付ける場合には、上記操作によりバンド６の異なる係止孔１１ｂを保持部材５の突起２４に係合させればよく、さまざまな径のハンドル２に取付けることが可能となっている。
【００１５】
なお、上記バンド６の挟持部１３の形状を、上記本体部１１との折り返し部分から本体部１１の先端部に向けてさらに延長し、その先端部分に上記係合部１４を形成するような構成であってもよい。
この場合、上記保持部材５のストッパ部２２を、上記挟持部１３に沿って自転車の後方に延長した略板状の部材とするとともに、該ストッパ部２２に上記円弧状部分２５ｂを形成して、さらに該ストッパ部２２の端部に上記被係合部２３を設ければよい。
【符号の説明】
【００１６】
１  自転車用ベル                ２  ハンドル
３  ベル部                      ４  取付器具
５  保持部材                    ６  バンド
１１  本体部                    １１ｂ  係止孔
１２  抜け止め部                １３  挟持部
２１  挿通孔                    ２２  ストッパ部
２４  突起
【図１】
0005392610.tif 000002
【図２】
0005392610.tif 000003
【図３】
0005392610.tif 000004
【図４】
0005392610.tif 000005